(57)【要約】      （修正有）【課題】ビットのようなねじ廻し工具を装着してねじ廻し作業を行うためのアダプタであって、高剛性で高寿命に形成され、ビットが破損しても本体側には損傷のない高剛性Ｌ型アダプタを提供する。【解決手段】本体はＬ型の第１の本体１とこれに連設される第２の本体２とこれ等を被包するグリップ３等とからなり、その内部には本体側にその両端を枢支される高剛性の第１のシャフト６と第２のシャフト７があり第１の傘歯車１４と第２の傘歯車により噛合されている。また、第１のシャフト６及び第２のシャフト７にはビットを枢着保持するビットホルダ４が設けられている。【選択図】図６
0003183302.tif 000002
【実用新案登録請求の範囲】
【請求項１】
Ｌ型形状で開放端部にビットの如きねじ廻し工具や駆動軸を着脱可能に装着する高剛性のＬ型アダプタであって、該アダプタはＬ型形状の第１の本体とこれに連設して嵌着される第２の本体とからなる高剛性材からなる本体と、該本体を被包するゴム部材のグリップと、前記本体内に互いに直交して配置されその両端を前記本体に枢支される高剛性の第１のシャフト及び第２のシャフトと、該第１のシャフト及び第２のシャフトに嵌着され互いに噛合する第１の傘歯車及び第２の傘歯車と、前記第１のシャフト及び第２のシャフトの開口端側に形成され前記ねじ廻し工具を着脱可能に枢支するビットホルダとからなることを特徴とする高剛性Ｌ型アダプタ。
【請求項２】
前記第１の本体には補助ハンドルが着脱可能に装着する挿入穴が形成され、前記補助ハンドルは補助ハンドル本体とその一端に嵌着され前記挿入穴に挿着される押しボルトとその他端に着脱可能に装着され前記ねじ廻し工具を着脱可能に収納保持する補助ハンドルキャップとからなることを特徴とする請求項１に記載の高剛性Ｌ型アダプタ。
【考案の詳細な説明】
【技術分野】
【０００１】
本考案は、ビットの如きねじ廻し工具を一端又は両開放端部に着脱可能に枢支し、全体として高剛性及び高寿命に形成され使用時において前記ねじ廻し工具が破損しても本体側に影響を与えない形態のものからなる高剛性Ｌ型アダプタに関する。
【背景技術】
【０００２】
近年、強力な電動ドライバの登場により建築業界等ではホールソー，ギムネ，ソケットと言った工具を使うハイトルクなねじ締め穴あけ作業が行われるようになっている。その結果、従来の製品ではその使用に耐えられず壊れてしまうことが発生していた。
【０００３】
ハイトルクの作業では工具の強度の限界を超えてしまう使用もあり、工具の破損が発生するが、この場合交換可能の工具の破損は取り換えが可能であるが、この場合に本体側に破損が発生すると取り換えがきかない問題点が発生する。
なお、従来のＬ型アダプタとしては各種のものがあるが、その一例として「特許文献１」が挙げられる。
【先行技術文献】
【特許文献】
【０００４】
【特許文献１】実用新案登録第３１３４３８２号（図１）
【考案の概要】
【考案が解決しようとする課題】
【０００５】
「特許文献１」の「実用新案登録第３１３４３８２号」の「Ｌ型アダプタの軸受抜け止め構造」は全体形状としては後に説明する本考案のものと似ている外観形状を示すものであるがその特徴としては軸受抜け止め構造に全体があり、全体として高剛性に形成されるものでなく、ビットが破損する前に歯車等が破損するものであり高剛性のアダプタとは言えない。
【０００６】
本考案は、前記のようにビット等の工具の破損があっても本体側の損傷の生じない高剛性で高寿命のものからなる高剛性Ｌ型アダプタを提供することを目的とする。
【課題を解決するための手段】
【０００７】
本考案は、以上の目的を達成するために考案されたものであり、その請求項１の考案は、Ｌ型形状で開放端部にビットの如きねじ廻し工具や駆動軸を着脱可能に装着する高剛性のＬ型アダプタであって、該アダプタはＬ型形状の第１の本体とこれに連設して嵌着される第２の本体とからなる高剛性材からなる本体と、該本体を被包するゴム部材（例えば、エラストマー樹脂）のグリップと、前記本体内に互いに直交して配置されその両端を前記本体に枢支される高剛性の第１のシャフト及び第２のシャフトと、該第１のシャフト及び第２のシャフトに嵌着され互いに噛合する第１の傘歯車及び第２の傘歯車と、前記第１のシャフト及び第２のシャフトの開口端側に形成され前記ねじ廻し工具を着脱可能に枢支するビットホルダとからなることを特徴とする。
【０００８】
また、請求項２の考案は、前記第１の本体には補助ハンドルが着脱可能に装着する挿入穴が形成され、前記補助ハンドルは補助ハンドル本体とその一端に嵌着され前記挿入穴に挿着される押しボルトとその他端に着脱可能に装着され前記ねじ廻し工具を着脱可能に収納保持する補助ハンドルキャップとからなることを特徴とする。
【考案の効果】
【０００９】
本考案の請求項１の高剛性Ｌ型アダプタによれば、本体自体が高剛性に形成され、ビットの如きねじ廻し工具を枢支する第１のシャフトや第２のシャフトは両端を軸受により本体側に安定的に枢支されると共に高剛性に形成されるものからなり、前記ねじ廻し工具は前記第１及び第２のシャフトにビットホルダを介して着脱可能に枢支されるものからなり、全体として安定的及び高剛性に形成され、結果としてねじ廻し工具の破損が生じても本体側への損傷を防止できる効果を上げることが出来る。
【００１０】
また、本考案の請求項２の高剛性Ｌ型アダプタによれば、補助ハンドルを着脱可能に装着出来る構造からなり、ねじ廻し作業が安定的に出来る効果を上げることが出来る。
【図面の簡単な説明】
【００１１】
【図１】本考案の請求項１の高剛性Ｌ型アダプタの外観構造を示す斜視図。
【図２】図１の正面図。
【図３】図１の左側面図。
【図４】図１の右側面図。
【図５】図１の底面図。
【図６】図３のＡ−Ａ線断面図。
【図７】本考案の請求項２の補助ハンドルを示す斜視図。
【図８】補助ハンドルの補助ハンドルキャップにビットが収納可能に装着されている状態を示す斜視図。
【図９】補助ハンドルの構造を示す平面図（ａ），背面図（ｂ），平面図（ａ）のＢ−Ｂ線断面図（ｃ）。
【図１０】ビットの構造を示す平面図（ａ），（ｂ）。
【図１１】使用状態を示す斜視図。
【考案を実施するための形態】
【００１２】
以下、本考案の高剛性Ｌ型アダプタの実施の形態の詳細図面を参照して詳述する。
まず、図１乃至図５により高剛性Ｌ型アダプタ１００の外観構造の概要を説明する。
【００１３】
高剛性Ｌ型アダプタ１００はＬ型形状の第１の本体１とこれに連設して嵌着されている第２の本体２とグリップ３と第１の本体１及び第２の本体２の開口端側に配設されているビットホルダ４等とからその外観形状は形成されている。なお、本実施例ではねじ廻し工具としてビット５Ａが第１の本体１に装着されている。後に説明する図８に示すように第２の本体２にはビット５Ｂが装着されている。
これ等のビット５は各種の形状のものからなるが図１０の（ａ），（ｂ）にその代表例が示されている。
【００１４】
なお、第２の本体２の開口端にはビット５の替りに駆動軸の（図略）が装着されるが、この場合にはビットホルダ５が取り外されて駆動軸が装着されることになるがその詳細構造の説明は省略する。
【００１５】
次に、高剛性Ｌ型アダプタ１００の内部構造を図６により説明する。
図示のように第１の本体１はＬ型の部材からなり、第２の本体２は第１の本体１に段差なく円滑に連結される部材からなり、これ等の第１の本体１及び第２の本体２は例えば亜鉛ダイキャスト製の高剛性のものからなる。
また、これ等を被包するグリップ３は例えば、エラストマー樹脂の如きゴム製の材質からなり、使用時の発熱や握り込みによる痛みから使用者の手を守るようにしている。
【００１６】
第１の本体１及び第２の本体２の内部には第１のシャフト６及びこれと直交して配設される第２のシャフト７が収納されている。なお、これ等の第１のシャフト６と第２のシャフトは比較的大径で高剛性のものからなる。
【００１７】
第１のシャフト６及び第２のシャフト７は第１の本体１や第２の本体２内に各種の特殊の止め輪８等により安定的に装着されベアリング９，１０，１１，１２によりその端側や中間部を保持され、これ等によって枢支されている。
また、第１のシャフト６や第２のシャフト７の開口端にはビット５が挿入される穴１３が開口形成されている。
【００１８】
また、第１のシャフト６と第２のシャフト７の端部には互いに噛合する第１の傘歯車１４と第２の傘歯車１５が嵌着されている。なお、これ等の第１の傘歯車１４と第２の傘歯車は本実施例ではスパイラル形状のものからなるが勿論これに限定するものではない。
【００１９】
第１のシャフト６と第２のシャフト７の開口端側にはビット５を着脱可能に枢支するビットホルダ４が第１のシャフト６や第２のシャフト７に着脱可能に装着されている。
その構造としては各種形態のものが適用されるが、本実施例では第１のシャフト６や第２のシャフト７に六角穴１３に直交して開口されているボールガイド穴１６に収納されているボール１７とこのボール１７を覆って第１のシャフト６や第２のシャフト７に装着されているホルダ１８等とから形成されるものが示されている。
【００２０】
以上の構造の高剛性Ｌ型アダプタ１００には図６等に示すようにビット５が装着されビットホルダ４により枢支された状態に装着される。
【００２１】
以上の構造から剛性的に一番弱いものがビット５であり、その他の構成部材がビット５より高剛性であり、ビット５が破損したとしても他の構成部材には影響を与えることがなく、新しいビット５を装着することにより連続的使用可能となり、高寿命性を発揮することが出来る。また、高トルクが必要とするネジ廻しには適用される。
【００２２】
図７乃至図９は補助ハンドル２００を説明するためのものである。
図１や図２に示すように、高剛性Ｌ型アダプタ１００の第１の本体１の側面には補助ハンドル２００を着脱可能に挿着するための挿入穴１９が設けられている。図示では不明確であるがこの挿入穴１９は第１の本体１の両側に設けられている。図示ではこの挿入穴１９は第１のシャフト６の形成方向と直交する方向に形成されているがそれに限定するものではない。この補助ハンドル２００は高剛性Ｌ型アダプタ１００によるねじ廻し作業を安定的に行うためのものであり、ねじ廻し作業時においてこの補助ハンドル２００を握持する。これにより高剛性Ｌ型アダプタ１００によるねじ廻し作業が安定的に、かつ安全に行われる。
また、この補助ハンドル２００はスペアーとしてのビット５を収納するためのものでもあり、図８にその状態が示されている。
【００２３】
図９に示すように、補助ハンドル２００は、補助ハンドル本体２０とこれに着脱可能に装着されビット５を収納する収納部２２を有する補助ハンドルキャップ２１とからなり、補助ハンドル本体の端部には挿入穴１９に挿着される押しボルト２３がその先端を突出した状態で嵌着されている。
図７は高剛性Ｌ型アダプタ１００に補助ハンドル２０が装着されている状態を示すと共に図７にはビット５が高剛性Ｌ型アダプタ１００の両開口端に装着されている状態で示されている。
【００２４】
本考案は、以上の説明の内容からなり、前記したようにビット５が使用中に破損したとしても高剛性Ｌ型アダプタ１００が損傷することなく安定的に高寿命に使用することが出来る。また、補助ハンドル２００の存在によりビット５の交換も容易に行うことが出来る。なお、本考案の内容は前記のものに限定するものではなく、同一技術的範疇のものが適用されることは勿論である。
【産業上の利用可能性】
【００２５】
本考案は、ビットのようなねじ廻し工具によりねじ廻しを安定的に、かつ高寿命に行うためのものであり、使用するねじ廻し工具は各種のものが適用されるためその利用範囲は極めて広い。
【符号の説明】
【００２６】
１      第１の本体
２      第２の本体
３      グリップ
４      ビットホルダ
５      ビット
６      第１のシャフト
７      第２のシャフト
８      止め輪
９      ベアリング
１０    ベアリング
１１    ベアリング
１２    ベアリング
１３    六角穴
１４    第１の傘歯車
１５    第２の傘歯車
１６    ボールガイド穴
１７    ボール
１８    ホルダキャップ
１９    挿入穴
２０    補助ハンドル本体
２１    補助ハンドルキャップ
２２    収納部
２３    押しボルト
１００  高剛性Ｌ型アダプタ
２００  補助ハンドル
【図１】
0003183302.tif 000003
【図２】
0003183302.tif 000004
【図３】
0003183302.tif 000005
【図４】
0003183302.tif 000006
【図５】
0003183302.tif 000007
【図６】
0003183302.tif 000008
【図７】
0003183302.tif 000009
【図８】
0003183302.tif 000010
【図９】
0003183302.tif 000011
【図１０】
0003183302.tif 000012
【図１１】
0003183302.tif 000013